(57)【要約】      （修正有）【課題】サンルームやテラス等、建物の外壁に沿わせて設置される簡易建物のシール材の劣化を防止できる簡易構造体を提供する。【解決手段】簡易建物１とカバー材２とを備え、簡易建物１は外壁３から離して設置してあり、カバー材２は、一端部を簡易建物１に取付けてあり、他端部を外壁３に当接してシール材４でシールしてあると共にシール部の外周側を覆う止水部材５を有する。また、簡易建物は外壁に当接してシール材でシールしてあり、カバー材は、簡易建物に取付けてあり、シール部の外周側を覆う止水部材を有する。【選択図】図１
2020128698.tif 000002
【特許請求の範囲】
【請求項１】
簡易建物とカバー材とを備え、簡易建物は外壁から離して設置してあり、カバー材は、一端部を簡易建物に取付けてあり、他端部を外壁に当接してシール材でシールしてあると共にシール部の外周側を覆う止水部材を有することを特徴とする簡易構造体。
【請求項２】
簡易建物とカバー材とを備え、簡易建物は外壁に当接してシール材でシールしてあり、カバー材は、簡易建物に取付けてあり、シール部の外周側を覆う止水部材を有することを特徴とする簡易構造体。
【発明の詳細な説明】
【技術分野】
【０００１】
本発明は、建物の外部に設置されるサンルーム等の簡易構造体に関する。
【背景技術】
【０００２】
サンルームやテラス等、建物の外壁に沿わせて設置される簡易建物は、屋根の外壁側の端部を外壁に当接し、その上縁部に全長に亘ってシール材を充填して外壁とシールしている（例えば、非特許文献１参照。）。このシール材が長い年月のうちに劣化してひび割れが生じたりすると、雨水が浸入するおそれがある。
【先行技術文献】
【特許文献】
【０００３】
【非特許文献１】三協立山株式会社 三協アルミ社発行の施工要領書「ガーデンルーム  ハピーナ  施工要領書」、２０１３年３月、ｐ．４６
【発明の概要】
【発明が解決しようとする課題】
【０００４】
本発明は以上に述べた実情に鑑み、シール材の劣化を防止できる簡易構造体の提供を目的とする。
【課題を解決するための手段】
【０００５】
上記の課題を達成するために請求項１記載の発明による簡易構造体は、簡易建物とカバー材とを備え、簡易建物は外壁から離して設置してあり、カバー材は、一端部を簡易建物に取付けてあり、他端部を外壁に当接してシール材でシールしてあると共にシール部の外周側を覆う止水部材を有することを特徴とする。
【０００６】
請求項２記載の発明による簡易構造体は、簡易建物とカバー材とを備え、簡易建物は外壁に当接してシール材でシールしてあり、カバー材は、簡易建物に取付けてあり、シール部の外周側を覆う止水部材を有することを特徴とする。
【発明の効果】
【０００７】
請求項１記載の発明による簡易構造体は、簡易建物とカバー材とを備え、簡易建物は外壁から離して設置してあり、カバー材は、一端部を簡易建物に取付けてあり、他端部を外壁に当接してシール材でシールしてあると共にシール部の外周側を覆う止水部材を有するので、シール材の劣化を防止できる。
【０００８】
請求項２記載の発明による簡易構造体は、簡易建物にカバー材が取付けてあり、カバー材に外壁とのシール部の外周側を覆う止水部材を有しているので、シール材の劣化を防止できる。
【図面の簡単な説明】
【０００９】
【図１】本発明の第１実施形態に係る簡易構造体の外壁側の上部を拡大して示す縦断面図である。
【図２】同簡易構造体の縦断面図である。
【図３】同簡易構造体の横断面図である。
【図４】同簡易構造体の一部を拡大して示す正面図である。
【図５】同簡易構造体の斜視図である。
【図６】同簡易構造体の分解斜視図である。
【図７】本発明の第２実施形態に係る簡易構造体の外壁側の上部を拡大して示す縦断面図である。
【図８】同簡易構造体の一部を拡大して示す正面図である。
【図９】同簡易構造体の斜視図である。
【発明を実施するための形態】
【００１０】
以下、本発明の実施の形態を図面に基づいて説明する。図１〜６は、本発明の簡易構造体の第１実施形態を示している。本簡易構造体は、図２，３，６に示すように、住宅等の建物の外壁３の屋外側に外壁３から離して設置した簡易建物１（サンルーム）と、簡易建物１と外壁３との隙間を塞ぐカバー材２とを備える。簡易建物１は、外壁３から離して設置した独立フレーム７と、独立フレーム７に取付けた簡易建物本体６３とで構成される。カバー材２は、簡易建物本体６３に取付けてあって、独立フレーム７の外周を覆っている。外壁３には掃出し窓８が取付けてあって（図２参照）、建物内から簡易建物１へと出入りできるようになっている。
【００１１】
独立フレーム７は、図６に示すように、左右一対の柱９，９と、左右の柱９，９の上端部に架設した桁１０とで門型に形成してある。左右の柱９，９は、図２に示すように、地面Ｇに開けた穴１１に下端部を挿入し、まわりをコンクリート１２で固めてしっかりと自立させてある。桁１０は、図１に示すように、上面に前側に向かって下り勾配で傾斜した傾斜面１３を有し、傾斜面１３の後側に水平面１４を有している。桁１０の左右両端部には、図４に示すように、蓋１５を取付けて小口を塞いである。
【００１２】
簡易建物本体６３は、図５，６に示すように、前面部１６と左右の側面部１７，１７と屋根部１８と床部１９とを備える公知のサンルームである。前面部１６と側面部１７，１７には、図示しない折戸等の建具が取付けられ、屋根部１８には図示しない屋根パネルが取付けられ、床部１９には図示しない床板が取付けられる。簡易建物本体６３は、建物側に設けられる左右の躯体方立２０，２０と垂木掛け２１を、独立フレーム７の柱９，９と桁１０の前面に当接してねじ２２で固定して、独立フレーム７に取付けてある。
【００１３】
カバー材２は、図５，６に示すように、左右の縦部材２３，２３と横部材２４とを備える。横部材２４は、図１に示すように、横カバー本体２５と、横カバー本体２５の上面の後端部に取付けたパッキン取付材２６と、横カバー本体２５の後端部に取付けた内周側パッキン２７と、パッキン取付材２６に取付けた外周側パッキン（止水部材）５とからなる。横カバー本体２５は、アルミ押出形材で形成したものであり、前方に向けて下り勾配で傾斜した上面壁２８と、垂直な前面壁２９と、前面壁２９の下端より前方に突出する取付片３０と、上面壁２８の後端部に設けたパッキン取付溝３１と、パッキン取付材２６の係合溝３２を有し、取付片３０を簡易建物本体６３の垂木掛け２１の上面に当接し、ねじ３３で固定してある。横カバー本体２５の前面壁２９と桁１０の前面との間、横カバー本体２５の上面壁２８と桁１０の上面との間には、ライナー３４がそれぞれ配置してあり、横カバー本体２５と桁１０との間に空間３５が設けてある。
パッキン取付材２６は、アルミ押出形材で形成したものであり、横カバー本体２５の上面壁２８に沿う取付片３６と、立ち上がり部３７と、立ち上がり部３７の後方に設けたパッキン取付溝３１を有しており、取付片３６の後端部を横カバー本体２５の係合溝３２に係合させ、取付片３６を横カバー本体２５の上面壁２８にねじ３８で固定して取付けてある。
内周側パッキン２７は、ゴムで蛇腹状に形成され、見込方向に伸縮自在となっており、独立フレーム７側の端部に形成した嵌合部３９を横カバー本体２５のパッキン取付溝３１に嵌め込んで取付けてある。内周側パッキン２７は、外壁３と横カバー本体２５との隙間に圧縮した状態で保持され、外壁３側の端部が外壁３に当接している。内周側パッキン２７は、外壁側端部上面側にシールポケット４０が形成してあり、シールポケット４０にシール材４を充填することで外壁３とシールしてある。さらに、内周側パッキン２７の外壁側端部下面側には、軟質のヒレ片４１が外壁３側に向けて傾斜して設けられ、当該ヒレ片４１が変形して外壁３に接している。
外周側パッキン５は、内周側パッキン２７と同様に、ゴムで蛇腹状に形成され、見込方向に伸縮自在となっており、独立フレーム７側の端部に形成した嵌合部３９をパッキン取付材２６のパッキン取付溝３１に嵌め込んで取付けてあり、外壁３側の端部が外壁３に当接している。外周側パッキン５は、外壁３と接するヒレ片４１を上面側に設けている。また外周側パッキン５は、上面がフラットな傾斜面としてあり、上面に雨水が溜まらないようにしてある。
【００１４】
このようにカバー材２の横部材２４は、外壁３との隙間を塞ぐパッキン５，２７を二重に設けてあり、内周側パッキン２７を外壁３とシール材４でシールし、外周側パッキン（止水部材）５がそのシール部の外周側を覆っているので、シール材４の劣化を防ぐことができる。さらに、仮に外周側パッキン５を超えて雨水が浸入しても、内周側パッキン２７で止水できるので、雨水の浸入を確実に防止できる。また、一端部を簡易建物１に固定し、他端部を伸縮自在な蛇腹状のパッキン５，２７で外壁３に当接したことで、簡易建物１と外壁３との相対変位を吸収することができる。
【００１５】
カバー材２の横部材２４は、図４に示すように、左右両端部が桁１０よりも側方に張り出している。横カバー本体２５の左右両端部、パッキン取付材２６の左右両端部には、板状の蓋４２ａ，４２ｂがそれぞれ取付けてあり、これにより側方からカバー内に雨水が浸入するのを防いでいる。
【００１６】
カバー材２の縦部材２３は、図３に示すように、アルミ押出形材よりなる縦カバー本体４３と、縦カバー本体４３の後端部に取付けたパッキン４４とからなる。縦カバー本体４３は、柱９の外側面を覆う側面部４５と、柱９の前方に回り込む回り込み部４６を有し、柱９の外周を覆っている。縦カバー本体４３の側面部４５と柱９の外側面との間にはライナー３４が配置され、縦カバー本体４３と柱９との間に空間３５が設けてある。回り込み部４６の先端部には係合部４７ａ，４７ｂが設けてあり、この係合部４７ａ，４７ｂを簡易建物本体６３の躯体方立２０に設けた受け部４８に係合することで、縦カバー本体４３が躯体方立２０に取付けられている。側面部４５の後端部には、パッキン取付溝３１が設けてある。
パッキン４４は、ゴムで蛇腹状に形成され、見込方向に伸縮自在となっており、独立フレーム７側の端部に形成した嵌合部３９を縦カバー本体４３のパッキン取付溝３１に嵌め込んで取付けてある。パッキン４４は、外壁３と縦カバー本体４３との隙間に圧縮した状態で保持され、外壁３側の端部が外壁３に当接している。パッキン４４は、外壁側端部外周側にシールポケット４０が形成してあり、シールポケット４０にシール材４９を充填することで外壁３とシールしてある。さらに、パッキン４４の外壁側端部内周側には、軟質のヒレ片４１が外壁３側に向けて傾斜して設けられ、当該ヒレ片４１が変形して外壁３に接している。
【００１７】
カバー材２の縦部材２３は、図２に示すように、下端が地面Ｇに当接している。縦部材２３の上端部は、図１，４に示すように、横カバー本体２５の桁１０から側方に張り出した部分の内側に挿入されている。これにより、カバー材２の横部材２４と縦部材２３の間から雨水が浸入することがない。
【００１８】
次に、本簡易構造体の施工手順を説明する。まず、独立フレーム７の柱９，９を地面Ｇに埋め込んで立設し、柱９，９上に桁１０を架設する。次に、独立フレーム７に取付けて簡易建物本体６３を設置する。次に、カバー材２の縦部材２３，２３を取付ける。次に、カバー材２の縦部材２３，２３の上端に掛け渡すようにしてカバー材２の横部材２４を取付ける。
【００１９】
以上に述べたように本簡易構造体は、カバー材２の横部材２４にパッキン５，２７が内周側と外周側に二重に設けてあり、内周側パッキン２７を外壁３とシール材４でシールし、外周側パッキン（止水部材）５がそのシール材４によるシール部の外周側を覆っていることで、シール材４の劣化を防止できる。また、簡易建物１は外壁３から離して設置してあるので、外壁３に凹凸があっても柔軟に対応でき、簡易建物１にカバー材２を取付けて外壁３との隙間を塞いであるので、簡易建物１と外壁３の間から雨が入ることもない。カバー材２は、外壁３と簡易建物１との相対変位を吸収可能に設けてあるので、外壁３と簡易建物１との間に相対変位が生じたときにその変位をカバー材２で吸収し、隙間が生ずるのを防止できる。
本簡易構造体は、簡易建物１が外壁３から離して設置した独立フレーム７に簡易建物本体６３を取付けて構成され、カバー材２は一端部を簡易建物１に取付け、他端部をパッキン５，２７，４４で外壁３に圧接したので、外壁３に全く孔を開けることなく設置できる。外壁３に孔を開けると躯体内部に雨水が浸入するおそれがあるが、本簡易構造体は外壁３に孔を開けないので、躯体内に雨水が浸入するおそれがない。また、外壁３に孔を開けた場合には、ハウスメーカーによる新築住宅に対する１０年間の保証が無効になるおそれがあるが、本簡易構造体は外壁３に孔を開けないで設置できるので、ハウスメーカーによる住宅に対する保障が無効になることがなく、ハウスメーカーと建材メーカーの保証の棲み分けが明確にできる。
さらに本簡易構造体は、独立フレーム７がカバー材２で覆われているため、独立フレーム７が外部に露出して外観を損ねたりすることがない。さらに、独立フレーム７がカバー材２で覆われており、尚且つ独立フレーム７とカバー材２との間に空間３５を設けてあることで、断熱性能が優れている。
【００２０】
上記実施形態では、カバー材２の一端部を簡易建物本体６３に取付けていたが、カバー材２の一端部を独立フレーム７に取付けることもできる。また、独立フレーム７を有しないものであってもよい。
また、カバー材２の縦部材２３にも、横部材２４と同様に、シール部（シール材４９）の外周側を覆う止水部材（外周側パッキン５）を設けることができる。
【００２１】
図７〜９は、本発明の簡易構造体の第２実施形態を示している。本実施形態では、簡易建物１はテラスとなっており、図９に示すように、外壁３に取付けた垂木掛け５０と、左右の柱５１，５１と、左右の柱５１，５１上に架設した桁５２と、垂木掛け５０と桁５２間に架設した複数の垂木５３，５３，…と、垂木５３，５３，…間に取付けた中骨５４と、垂木５３，５３，…間に取付けた屋根パネル５５，５５，…を有している。
垂木掛け５０は、図７に示すように、外壁３に当接してボルト５６で固定してある。垂木掛け５０の上縁部にはシールポケット５７が形成してあり、シールポケット５７にシール材４を充填することで外壁３とシールしてある。
【００２２】
垂木掛け５０の上には、図７に示すように、カバー材２が取付けてある。カバー材２は、アルミ形材よりなる取付材５８と、ゴム製のパッキン（止水部材）６とで構成してある。取付材５８は、垂木掛け５０の上面に当接してねじ５９で固定される取付片６０と、取付片６０から斜め前方に向けて立ち上がる立ち上がり部６１と、立ち上がり部６１の上方に上向きに開口して設けたパッキン取付溝３１を有している。
パッキン６は、ゴムで蛇腹状に形成され、見込方向に伸縮自在となっており、前端部に形成した嵌合部３９を取付材５８のパッキン取付溝３１に上方から嵌め込んで取付けてあり、外壁３側の端部が外壁３に当接している。パッキン６は、外壁３と接するヒレ片４１を上面側に設けている。パッキン６は、上面がフラットな傾斜面としてあり、上面に雨水が溜まらないようにしてある。
カバー材２の左右両端部には、図８に示すように、板状の蓋６２を取付けて開口部を塞いである。
【００２３】
本実施形態の簡易構造体も、簡易建物１にカバー材２が取付けてあり、カバー材２に外壁３とのシール部（シール材４）の外周側を覆うパッキン（止水部材）６を有しているので、シール材４の劣化を防止できる。
【００２４】
本発明は以上に述べた実施形態に限定されない。外壁は、タイル、レンガ、窯業系や金属系のサイディング、ＡＬＣ等、いかなる種類のものであってもよい。カバー材の材質、形状は、適宜変更することができる。カバー材は、一端部を独立フレームに取付けることもできる。本発明の簡易構造体は、独立フレームを有しないものであってもよい。簡易建物の構造は任意であり、ガーデンルームやサイクルポート等であってもよい。
【符号の説明】
【００２５】
１  簡易建物
２  カバー材
３  外壁
４  シール材
５  外周側パッキン（止水部材）
６  パッキン（止水部材）
【図１】
2020128698.tif 000003
【図２】
2020128698.tif 000004
【図３】
2020128698.tif 000005
【図４】
2020128698.tif 000006
【図５】
2020128698.tif 000007
【図６】
2020128698.tif 000008
【図７】
2020128698.tif 000009
【図８】
2020128698.tif 000010
【図９】
2020128698.tif 000011
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
簡易建物とカバー材とを備え、簡易建物は、建物の外壁から離して設置した独立フレームと、独立フレームに取付けた簡易建物本体とで構成され、簡易建物本体は、独立フレームに取付けた垂木掛けを有し、カバー材は、外壁から垂木掛けまでを覆っていることを特徴とする簡易構造体。
【請求項２】
簡易建物とカバー材とを備え、簡易建物は、建物の外壁から離して設置した独立フレームと、独立フレームに取付けた簡易建物本体とで構成され、カバー材は、外壁から簡易建物本体の外壁側端部までを覆っていることを特徴とする簡易構造体。
【手続補正２】
【補正対象書類名】明細書
【補正対象項目名】全文
【補正方法】変更
【補正の内容】
【発明の詳細な説明】
【技術分野】
【０００１】
本発明は、建物の外部に設置されるサンルーム等の簡易構造体に関する。
【背景技術】
【０００２】
サンルームやテラス等、建物の外壁に沿わせて設置される簡易建物は、屋根の外壁側の端部を外壁に当接し、その上縁部に全長に亘ってシール材を充填して外壁とシールしている（例えば、非特許文献１参照。）。このシール材が長い年月のうちに劣化してひび割れが生じたりすると、雨水が浸入するおそれがある。
【先行技術文献】
【特許文献】
【０００３】
【非特許文献１】三協立山株式会社 三協アルミ社発行の施工要領書「ガーデンルーム  ハピーナ  施工要領書」、２０１３年３月、ｐ．４６
【発明の概要】
【発明が解決しようとする課題】
【０００４】
本発明は以上に述べた実情に鑑み、外壁との間から雨が入るのを防止できる簡易構造体の提供を目的とする。
【課題を解決するための手段】
【０００５】
上記の課題を達成するために請求項１記載の発明による簡易構造体は、簡易建物とカバー材とを備え、簡易建物は、建物の外壁から離して設置した独立フレームと、独立フレームに取付けた簡易建物本体とで構成され、簡易建物本体は、独立フレームに取付けた垂木掛けを有し、カバー材は、外壁から垂木掛けまでを覆っていることを特徴とする。
【０００６】
請求項２記載の発明による簡易構造体は、簡易建物とカバー材とを備え、簡易建物は、建物の外壁から離して設置した独立フレームと、独立フレームに取付けた簡易建物本体とで構成され、カバー材は、外壁から簡易建物本体の外壁側端部までを覆っていることを特徴とする。
【発明の効果】
【０００７】
請求項１記載の発明による簡易構造体は、簡易建物とカバー材とを備え、簡易建物は、建物の外壁から離して設置した独立フレームと、独立フレームに取付けた簡易建物本体とで構成され、簡易建物本体は、独立フレームに取付けた垂木掛けを有し、カバー材は、外壁から垂木掛けまでを覆っているので、簡易建物と外壁の間から雨が入るのを防止できる。
【０００８】
請求項２記載の発明による簡易構造体は、簡易建物とカバー材とを備え、簡易建物は、建物の外壁から離して設置した独立フレームと、独立フレームに取付けた簡易建物本体とで構成され、カバー材は、外壁から簡易建物本体の外壁側端部までを覆っているので、簡易建物と外壁の間から雨が入るのを防止できる。
【図面の簡単な説明】
【０００９】
【図１】本発明の第１実施形態に係る簡易構造体の外壁側の上部を拡大して示す縦断面図である。
【図２】同簡易構造体の縦断面図である。
【図３】同簡易構造体の横断面図である。
【図４】同簡易構造体の一部を拡大して示す正面図である。
【図５】同簡易構造体の斜視図である。
【図６】同簡易構造体の分解斜視図である。
【図７】本発明の第２実施形態に係る簡易構造体の外壁側の上部を拡大して示す縦断面図である。
【図８】同簡易構造体の一部を拡大して示す正面図である。
【図９】同簡易構造体の斜視図である。
【発明を実施するための形態】
【００１０】
以下、本発明の実施の形態を図面に基づいて説明する。図１〜６は、本発明の簡易構造体の第１実施形態を示している。本簡易構造体は、図２，３，６に示すように、住宅等の建物の外壁３の屋外側に外壁３から離して設置した簡易建物１（サンルーム）と、簡易建物１と外壁３との隙間を塞ぐカバー材２とを備える。簡易建物１は、外壁３から離して設置した独立フレーム７と、独立フレーム７に取付けた簡易建物本体６３とで構成される。カバー材２は、簡易建物本体６３に取付けてあって、独立フレーム７の外周を覆っている。外壁３には掃出し窓８が取付けてあって（図２参照）、建物内から簡易建物１へと出入りできるようになっている。
【００１１】
独立フレーム７は、図６に示すように、左右一対の柱９，９と、左右の柱９，９の上端部に架設した桁１０とで門型に形成してある。左右の柱９，９は、図２に示すように、地面Ｇに開けた穴１１に下端部を挿入し、まわりをコンクリート１２で固めてしっかりと自立させてある。桁１０は、図１に示すように、上面に前側に向かって下り勾配で傾斜した傾斜面１３を有し、傾斜面１３の後側に水平面１４を有している。桁１０の左右両端部には、図４に示すように、蓋１５を取付けて小口を塞いである。
【００１２】
簡易建物本体６３は、図５，６に示すように、前面部１６と左右の側面部１７，１７と屋根部１８と床部１９とを備える公知のサンルームである。前面部１６と側面部１７，１７には、図示しない折戸等の建具が取付けられ、屋根部１８には図示しない屋根パネルが取付けられ、床部１９には図示しない床板が取付けられる。簡易建物本体６３は、建物側に設けられる左右の躯体方立２０，２０と垂木掛け２１を、独立フレーム７の柱９，９と桁１０の前面に当接してねじ２２で固定して、独立フレーム７に取付けてある。
【００１３】
カバー材２は、図５，６に示すように、左右の縦部材２３，２３と横部材２４とを備える。横部材２４は、図１に示すように、横カバー本体２５と、横カバー本体２５の上面の後端部に取付けたパッキン取付材２６と、横カバー本体２５の後端部に取付けた内周側パッキン２７と、パッキン取付材２６に取付けた外周側パッキン（止水部材）５とからなる。横カバー本体２５は、アルミ押出形材で形成したものであり、前方に向けて下り勾配で傾斜した上面壁２８と、垂直な前面壁２９と、前面壁２９の下端より前方に突出する取付片３０と、上面壁２８の後端部に設けたパッキン取付溝３１と、パッキン取付材２６の係合溝３２を有し、取付片３０を簡易建物本体６３の垂木掛け２１の上面に当接し、ねじ３３で固定してある。横カバー本体２５の前面壁２９と桁１０の前面との間、横カバー本体２５の上面壁２８と桁１０の上面との間には、ライナー３４がそれぞれ配置してあり、横カバー本体２５と桁１０との間に空間３５が設けてある。
パッキン取付材２６は、アルミ押出形材で形成したものであり、横カバー本体２５の上面壁２８に沿う取付片３６と、立ち上がり部３７と、立ち上がり部３７の後方に設けたパッキン取付溝３１を有しており、取付片３６の後端部を横カバー本体２５の係合溝３２に係合させ、取付片３６を横カバー本体２５の上面壁２８にねじ３８で固定して取付けてある。
内周側パッキン２７は、ゴムで蛇腹状に形成され、見込方向に伸縮自在となっており、独立フレーム７側の端部に形成した嵌合部３９を横カバー本体２５のパッキン取付溝３１に嵌め込んで取付けてある。内周側パッキン２７は、外壁３と横カバー本体２５との隙間に圧縮した状態で保持され、外壁３側の端部が外壁３に当接している。内周側パッキン２７は、外壁側端部上面側にシールポケット４０が形成してあり、シールポケット４０にシール材４を充填することで外壁３とシールしてある。さらに、内周側パッキン２７の外壁側端部下面側には、軟質のヒレ片４１が外壁３側に向けて傾斜して設けられ、当該ヒレ片４１が変形して外壁３に接している。
外周側パッキン５は、内周側パッキン２７と同様に、ゴムで蛇腹状に形成され、見込方向に伸縮自在となっており、独立フレーム７側の端部に形成した嵌合部３９をパッキン取付材２６のパッキン取付溝３１に嵌め込んで取付けてあり、外壁３側の端部が外壁３に当接している。外周側パッキン５は、外壁３と接するヒレ片４１を上面側に設けている。また外周側パッキン５は、上面がフラットな傾斜面としてあり、上面に雨水が溜まらないようにしてある。
【００１４】
このようにカバー材２の横部材２４は、外壁３との隙間を塞ぐパッキン５，２７を二重に設けてあり、内周側パッキン２７を外壁３とシール材４でシールし、外周側パッキン（止水部材）５がそのシール部の外周側を覆っているので、シール材４の劣化を防ぐことができる。さらに、仮に外周側パッキン５を超えて雨水が浸入しても、内周側パッキン２７で止水できるので、雨水の浸入を確実に防止できる。また、一端部を簡易建物１に固定し、他端部を伸縮自在な蛇腹状のパッキン５，２７で外壁３に当接したことで、簡易建物１と外壁３との相対変位を吸収することができる。
【００１５】
カバー材２の横部材２４は、図４に示すように、左右両端部が桁１０よりも側方に張り出している。横カバー本体２５の左右両端部、パッキン取付材２６の左右両端部には、板状の蓋４２ａ，４２ｂがそれぞれ取付けてあり、これにより側方からカバー内に雨水が浸入するのを防いでいる。
【００１６】
カバー材２の縦部材２３は、図３に示すように、アルミ押出形材よりなる縦カバー本体４３と、縦カバー本体４３の後端部に取付けたパッキン４４とからなる。縦カバー本体４３は、柱９の外側面を覆う側面部４５と、柱９の前方に回り込む回り込み部４６を有し、柱９の外周を覆っている。縦カバー本体４３の側面部４５と柱９の外側面との間にはライナー３４が配置され、縦カバー本体４３と柱９との間に空間３５が設けてある。回り込み部４６の先端部には係合部４７ａ，４７ｂが設けてあり、この係合部４７ａ，４７ｂを簡易建物本体６３の躯体方立２０に設けた受け部４８に係合することで、縦カバー本体４３が躯体方立２０に取付けられている。側面部４５の後端部には、パッキン取付溝３１が設けてある。
パッキン４４は、ゴムで蛇腹状に形成され、見込方向に伸縮自在となっており、独立フレーム７側の端部に形成した嵌合部３９を縦カバー本体４３のパッキン取付溝３１に嵌め込んで取付けてある。パッキン４４は、外壁３と縦カバー本体４３との隙間に圧縮した状態で保持され、外壁３側の端部が外壁３に当接している。パッキン４４は、外壁側端部外周側にシールポケット４０が形成してあり、シールポケット４０にシール材４９を充填することで外壁３とシールしてある。さらに、パッキン４４の外壁側端部内周側には、軟質のヒレ片４１が外壁３側に向けて傾斜して設けられ、当該ヒレ片４１が変形して外壁３に接している。
【００１７】
カバー材２の縦部材２３は、図２に示すように、下端が地面Ｇに当接している。縦部材２３の上端部は、図１，４に示すように、横カバー本体２５の桁１０から側方に張り出した部分の内側に挿入されている。これにより、カバー材２の横部材２４と縦部材２３の間から雨水が浸入することがない。
【００１８】
次に、本簡易構造体の施工手順を説明する。まず、独立フレーム７の柱９，９を地面Ｇに埋め込んで立設し、柱９，９上に桁１０を架設する。次に、独立フレーム７に取付けて簡易建物本体６３を設置する。次に、カバー材２の縦部材２３，２３を取付ける。次に、カバー材２の縦部材２３，２３の上端に掛け渡すようにしてカバー材２の横部材２４を取付ける。
【００１９】
以上に述べたように本簡易構造体は、カバー材２の横部材２４にパッキン５，２７が内周側と外周側に二重に設けてあり、内周側パッキン２７を外壁３とシール材４でシールし、外周側パッキン（止水部材）５がそのシール材４によるシール部の外周側を覆っていることで、シール材４の劣化を防止できる。また、簡易建物１は外壁３から離して設置してあるので、外壁３に凹凸があっても柔軟に対応でき、簡易建物１にカバー材２を取付けて外壁３との隙間を塞いであるので、簡易建物１と外壁３の間から雨が入ることもない。カバー材２は、外壁３と簡易建物１との相対変位を吸収可能に設けてあるので、外壁３と簡易建物１との間に相対変位が生じたときにその変位をカバー材２で吸収し、隙間が生ずるのを防止できる。
本簡易構造体は、簡易建物１が外壁３から離して設置した独立フレーム７に簡易建物本体６３を取付けて構成され、カバー材２は一端部を簡易建物１に取付け、他端部をパッキン５，２７，４４で外壁３に圧接したので、外壁３に全く孔を開けることなく設置できる。外壁３に孔を開けると躯体内部に雨水が浸入するおそれがあるが、本簡易構造体は外壁３に孔を開けないので、躯体内に雨水が浸入するおそれがない。また、外壁３に孔を開けた場合には、ハウスメーカーによる新築住宅に対する１０年間の保証が無効になるおそれがあるが、本簡易構造体は外壁３に孔を開けないで設置できるので、ハウスメーカーによる住宅に対する保障が無効になることがなく、ハウスメーカーと建材メーカーの保証の棲み分けが明確にできる。
さらに本簡易構造体は、独立フレーム７がカバー材２で覆われているため、独立フレーム７が外部に露出して外観を損ねたりすることがない。さらに、独立フレーム７がカバー材２で覆われており、尚且つ独立フレーム７とカバー材２との間に空間３５を設けてあることで、断熱性能が優れている。
【００２０】
上記実施形態では、カバー材２の一端部を簡易建物本体６３に取付けていたが、カバー材２の一端部を独立フレーム７に取付けることもできる。また、独立フレーム７を有しないものであってもよい。
また、カバー材２の縦部材２３にも、横部材２４と同様に、シール部（シール材４９）の外周側を覆う止水部材（外周側パッキン５）を設けることができる。
【００２１】
図７〜９は、本発明の簡易構造体の第２実施形態を示している。本実施形態では、簡易建物１はテラスとなっており、図９に示すように、外壁３に取付けた垂木掛け５０と、左右の柱５１，５１と、左右の柱５１，５１上に架設した桁５２と、垂木掛け５０と桁５２間に架設した複数の垂木５３，５３，…と、垂木５３，５３，…間に取付けた中骨５４と、垂木５３，５３，…間に取付けた屋根パネル５５，５５，…を有している。
垂木掛け５０は、図７に示すように、外壁３に当接してボルト５６で固定してある。垂木掛け５０の上縁部にはシールポケット５７が形成してあり、シールポケット５７にシール材４を充填することで外壁３とシールしてある。
【００２２】
垂木掛け５０の上には、図７に示すように、カバー材２が取付けてある。カバー材２は、アルミ形材よりなる取付材５８と、ゴム製のパッキン（止水部材）６とで構成してある。取付材５８は、垂木掛け５０の上面に当接してねじ５９で固定される取付片６０と、取付片６０から斜め前方に向けて立ち上がる立ち上がり部６１と、立ち上がり部６１の上方に上向きに開口して設けたパッキン取付溝３１を有している。
パッキン６は、ゴムで蛇腹状に形成され、見込方向に伸縮自在となっており、前端部に形成した嵌合部３９を取付材５８のパッキン取付溝３１に上方から嵌め込んで取付けてあり、外壁３側の端部が外壁３に当接している。パッキン６は、外壁３と接するヒレ片４１を上面側に設けている。パッキン６は、上面がフラットな傾斜面としてあり、上面に雨水が溜まらないようにしてある。
カバー材２の左右両端部には、図８に示すように、板状の蓋６２を取付けて開口部を塞いである。
【００２３】
本実施形態の簡易構造体も、簡易建物１にカバー材２が取付けてあり、カバー材２に外壁３とのシール部（シール材４）の外周側を覆うパッキン（止水部材）６を有しているので、シール材４の劣化を防止できる。
【００２４】
本発明は以上に述べた実施形態に限定されない。外壁は、タイル、レンガ、窯業系や金属系のサイディング、ＡＬＣ等、いかなる種類のものであってもよい。カバー材の材質、形状は、適宜変更することができる。カバー材は、一端部を独立フレームに取付けることもできる。本発明の簡易構造体は、独立フレームを有しないものであってもよい。簡易建物の構造は任意であり、ガーデンルームやサイクルポート等であってもよい。
【符号の説明】
【００２５】
１  簡易建物
２  カバー材
３  外壁
４  シール材
５  外周側パッキン（止水部材）
６  パッキン（止水部材）